(57)【要約】      （修正有）【課題】安価で成形が容易な材料により製造することができるソーラーパネル及びそのバレルホルダーを提供する。【解決手段】ソーラーパネル２０及びそのバレルホルダー１０はバレルホルダー１０、ソーラーパネル２０、水コレクター３０、ガイド部材３４を備え、バレルホルダー１０上端の両側にはそれぞれ斜辺１４を設置し、ソーラーパネル２０はバレルホルダー１０の斜辺１４上に設置され、水コレクター３０はソーラーパネル２０の底部に設置され、水コレクター３０の底部にはガイド孔３２を設置し、ガイド部材３４の一端はガイド孔３２に連接し、ガイド部材３４の反対端は延伸してバレルホルダー１０を通過し、バレルホルダー１０の中に進入する。ホルダーのコストを大幅に低下させられ、しかも取り付けがスピーディーで、施工コストを大幅に引き下げられる。【選択図】図２
0003213358.tif 000002
【実用新案登録請求の範囲】
【請求項１】
ソーラーパネル及びそのバレルホルダーは、バレルホルダー、ソーラーパネル、水コレクター、ガイド部材を備え、
該バレルホルダーの上端の両側には、それぞれ斜辺を設置し、該バレルホルダーの前側面の上縁には、凹部を設置し、
該ソーラーパネルは、該バレルホルダーの斜辺上に設置され、
該水コレクターは、該ソーラーパネルの底部に設置され、該水コレクター底部には、ガイド孔を設置し、
該ガイド部材の一端は、該ガイド孔に連接し、該ガイド部材の反対端は延伸して、該バレルホルダーの凹部を通過し、該バレルホルダーの中に進入することを特徴とするソーラーパネル及びそのバレルホルダー。
【請求項２】
前記ソーラーパネルは、該バレルホルダーの斜辺上に設置され、複数のネジにより、該ソーラーパネルを、該２個の斜辺上に固定することを特徴とする請求項１に記載のソーラーパネル及びそのバレルホルダー。
【請求項３】
前記ソーラーパネルは、該バレルホルダーの斜辺上に設置され、該ソーラーパネル両側の背面部に、スライドレールを設置し、該２個の斜辺上に、対応するスライド槽を設置し、これにより該ソーラーパネルと該２個の斜辺とは相互に結合することを特徴とする請求項１に記載のソーラーパネル及びそのバレルホルダー。
【請求項４】
前記ソーラーパネルは、該バレルホルダーの斜辺上に設置され、該ソーラーパネル両側の背面部に、複数の係合フックを設置し、該２個の斜辺上に、対応する複数の係合槽を設置し、これにより該ソーラーパネルと該２個の斜辺とは相互に係合することを特徴とする請求項１に記載のソーラーパネル及びそのバレルホルダー。
【請求項５】
前記バレルホルダーの材質は、プラスチック、ポリエステル樹脂、ポリエチレン、ポリプロピレン或いは樹脂材質、或いは金属材料を含むことを特徴とする請求項１に記載のソーラーパネル及びそのバレルホルダー。
【請求項６】
前記水コレクター内の底部は、両側が中央に向かって陥没し、該ガイド孔を該中央の陥没位置に設置することを特徴とする請求項１に記載のソーラーパネル及びそのバレルホルダー。
【請求項７】
前記ソーラーパネル及びそのバレルホルダーは、複数のソーラーパネル及びそのバレルホルダーをさらに設置し、相互に隣り合う各ソーラーパネル及びそのバレルホルダーは直列接続し、一列のソーラーパネル及びそのバレルホルダーを形成することを特徴とする請求項１に記載のソーラーパネル及びそのバレルホルダー。
【請求項８】
前記一列のソーラーパネル及びそのバレルホルダーは、該ソーラーパネルを搭載しないバレルホルダーを備えることを特徴とする請求項７に記載のソーラーパネル及びそのバレルホルダー。
【請求項９】
前記相互に隣り合うソーラーパネル及びそのバレルホルダーの直列接続は、複数のネジにより、相互に隣り合う２個のバレルホルダーを、相対する２個の斜辺の間に相互に固定し、
或いは相互に隣り合う２個の斜辺の内、一つのバレルホルダーの斜辺に、スライド槽を設置し、もう一つのバレルホルダーの斜辺には、スライドレールを対応して設置し、相互に結合することを特徴とする請求項７に記載のソーラーパネル及びそのバレルホルダー。
【請求項１０】
前記相互に隣り合うソーラーパネル及びそのバレルホルダーの直列接続は、相互に隣り合う２個の斜辺の内、一つのバレルホルダーの斜辺に、複数の係合フックを設置し、もう一つのバレルホルダーの斜辺には、複数の係合槽を設置し、相互に係合することを特徴とする請求項７に記載のソーラーパネル及びそのバレルホルダー。
【考案の詳細な説明】
【技術分野】
【０００１】
本考案はソーラーパネル及びそのバレルホルダーに関し、特にバレル状のホルダーを採用し、バレルホルダー上にソーラーパネルを設置するソーラーパネル及びそのバレルホルダーに関する。
【背景技術】
【０００２】
既存のソーラーパネルホルダーの多くは、金属材料のホルダー或いは支柱体である。例えば、形鋼構造、アルミ型材構造或いはコンクリート構造を採用し、しかも多くは棒状の構造である。
同時に、これらホルダーと建築物或いは地面とを相互に固定し、しかも建築物或いは地面に釘を打たなければ、固定することはできない。
【０００３】
しかし、これら既存技術では、材料を多く消費し、コストが高いばかりか、これら技術の取り付けには、多くの時間と人力が必要で、改善の必要がある。
【先行技術文献】
【特許文献】
【０００４】
【特許文献１】特開２０１４−１２９７１３号公報
【特許文献２】特開２０１３−２１００６号公報
【考案の概要】
【考案が解決しようとする課題】
【０００５】
本考案の目的は、ソーラーパネル及びそのバレルホルダーを提供することである。
【課題を解決するための手段】
【０００６】
本考案によるソーラーパネル及びそのバレルホルダーは、バレルホルダー、ソーラーパネル、水コレクター、ガイド部材を備え、該バレルホルダーの上端の両側には、それぞれ斜辺を設置し、該バレルホルダーの前側面の上縁には、凹部を設置し、該ソーラーパネルは、該バレルホルダーの斜辺上に設置され、該水コレクターは、該ソーラーパネルの底部に設置され、該水コレクター底部には、ガイド孔を設置し、該ガイド部材の一端は、該ガイド孔に連接し、該ガイド部材の反対端は延伸して、該バレルホルダーの凹部を通過し、該バレルホルダーの中に進入する。
【０００７】
該ソーラーパネルは、該バレルホルダーの斜辺上に設置され、複数のネジにより、該ソーラーパネルを、該２個の斜辺上に固定する。
該ソーラーパネルは、該バレルホルダーの斜辺上に設置され、該ソーラーパネル両側の背面部に、スライドレールを設置し、該２個の斜辺上に、対応するスライド槽を設置し、これにより該ソーラーパネルと該２個の斜辺とは相互に結合する。
該ソーラーパネルは、該バレルホルダーの斜辺上に設置され、該ソーラーパネル両側の背面部に、複数の係合フックを設置し、該２個の斜辺上に、対応する複数の係合槽を設置し、これにより該ソーラーパネルと該２個の斜辺とは相互に係合する。
【０００８】
該バレルホルダーの材質は、プラスチック、ポリエステル樹脂、ポリエチレン、ポリプロピレン或いは樹脂材質、或いは金属材料を含む。
該水コレクター内の底部は、両側が中央に向かって陥没し、該ガイド孔を該中央の陥没位置に設置する。
複数のソーラーパネル及びそのバレルホルダーをさらに設置し、相互に隣り合う各ソーラーパネル及びそのバレルホルダーは直列接続し、一列のソーラーパネル及びそのバレルホルダーを形成する。
該一列のソーラーパネル及びそのバレルホルダーは、該ソーラーパネルを搭載しないバレルホルダーを備え、該相互に隣り合うソーラーパネル及びそのバレルホルダーの直列接続は、複数のネジにより、相互に隣り合う２個のバレルホルダーを、相対する２個の斜辺の間に相互に固定し、或いは相互に隣り合う２個の斜辺の内、一つのバレルホルダーの斜辺に、スライド槽を設置し、もう一つのバレルホルダーの斜辺には、スライドレールを対応して設置し、相互に結合する。
該相互に隣り合うソーラーパネル及びそのバレルホルダーの直列接続は、相互に隣り合う２個の斜辺の内、一つのバレルホルダーの斜辺に、複数の係合フックを設置し、もう一つのバレルホルダーの斜辺には、複数の係合槽を設置し、相互に係合する。
【考案の効果】
【０００９】
本考案のソーラーパネル及びそのバレルホルダーは、成型が容易な材料により製造されるため、価格が安く、しかもホルダーのコストを大幅に引き下げられる。
しかも、取り付けがスピーディーで、施工コストを大幅に引き下げられる。
【図面の簡単な説明】
【００１０】
【図１】本考案の実施例によるバレルホルダーの模式図である。
【図２】本考案の第一実施例の透視図である。
【図３】本考案の第一実施例の側視図である。
【図４】本考案の第一実施例の別種の透視図である。
【図５】本考案の第二実施例の模式図である。
【図６】本考案の第三実施例の模式図である。
【考案を実施するための形態】
【００１１】
本考案のソーラーパネル及びそのバレルホルダーの実施例を図面を参照して説明する。
【実施例】
【００１２】
本考案によるソーラーパネル及びそのバレルホルダーは、バレル形状のホルダーを設置し、しかも樹脂材質であるため、安価で、成型に容易な材料を製造に用いることができ、ホルダーのコストを大幅に引き下げられ、及び取り付けをスピーディーに容易に行え、しかも施工コストが非常に低い。
【００１３】
図１、図２及び図３に示すように、本考案によるソーラーパネル及びそのバレルホルダーは、バレルホルダー１０、ソーラーパネル２０、水コレクター３０及びガイド部材３４を備える。
該バレルホルダー１０上端の両側には、それぞれ斜辺１４を設置し、該バレルホルダー１０の前側面の上縁には、凹部１１ａを設置する。
該ソーラーパネル２０は、バレルホルダー１０の斜辺１４上に設置される。
【００１４】
該水コレクター３０は、ソーラーパネル２０の底部に設置され、水コレクター３０の底部には、ガイド孔３２を設置する。
該ガイド部材３４の一端は、ガイド孔３２に連接し、該ガイド部材３４の反対端は、延伸して、バレルホルダー１０の凹部１１ａを通過し、バレルホルダー１０の中に進入する。
【００１５】
図１中のバレルホルダー１０は、４個の側面を備え、それはそれぞれ前側面１１、後側面１２、及び両側の側面１３で、両側の斜辺１４は、両側側面１３の上縁に設置される。２個の斜辺１４は、ソーラーパネル２０を支える。
【００１６】
前側面１１、後側面１２及び両側側面１３の面上には、複数の棒状構造１５を個別に設置し、バレルホルダー１０の強度を拡大する。
前側面１１の上縁は、凹状を呈し、凹部１１ａを設置する。
【００１７】
本考案実施例のバレルホルダー１０の材質は、プラスチック、ポリエステル樹脂、ポリエチレン、ポリプロピレン、樹脂材質或いは金属を含む材料を含むがこれに限定されない。
【００１８】
ソーラーパネル２０をバレルホルダー１０の斜辺１４上に設置した様子の透視図である図２に示すように、ソーラーパネル２０は、外枠２４を備え、内部には、複数の太陽光発電パーツ２２を取り付ける。
【００１９】
ソーラーパネル２０の底部には、水コレクター３０を設置し、水コレクター３０の底部中には、ガイド孔３２を設置する。
【００２０】
さらに、水コレクター３０内の底部は、両側が中央へと陥没した形状で、ガイド孔３２は、その中央の陥没位置に設置される。
【００２１】
ガイド孔３２は、ガイド部材３４の一端に接続し、ガイド部材３４の反対端は、バレルホルダー１０の内部に入る。
【００２２】
本考案の実施例における、ソーラーパネル２０をバレルホルダー１０の斜辺１４上に設置する組合せ方式では、複数のネジを採用し、ソーラーパネル２０を、バレルホルダー１０の２個の斜辺１４上に固定する。
或いはソーラーパネル２０両側の背面部に、スライドレールを設置し、２個の斜辺１４上には、対応するスライド槽を設置し、これによりソーラーパネル２０とバレルホルダー１０の２個の斜辺１４とは、相互に結合される。
【００２３】
或いはソーラーパネル２０の背面部に、複数の係合フックを設置し、バレルホルダー１０の２個の斜辺１４上には、対応する複数の係合槽を設置し、これにより、ソーラーパネル２０とバレルホルダー１０の２個の斜辺１４とは、相互に係合する。
【００２４】
図２実施例の側視図である図３に示すように、水コレクター３０は、ソーラーパネル２０の底部に設置され、ガイド部材３４の一端は、水コレクター３０のガイド孔３２に接続し、ガイド部材３４の反対端は、バレルホルダー１０の内部に入る。
【００２５】
図３の別種の角度の透視図である図４に示すように、ガイド部材３４の反対端は、延伸して、バレルホルダー１０の凹部１１ａを通過し、バレルホルダー１０の中に進入する。
【００２６】
降雨時、或いはソーラーパネル１２の洗浄時には、ソーラーパネル２０は傾斜した斜面を呈するため、雨水或いは洗浄用の水は、水コレクター３０の中に流入し、さらにガイド孔３２とガイド部材３４を経由して、雨水或いは洗浄用の水を、バレルホルダー１０の中に導入し、水資源を有効活用することができる。
【００２７】
図５に示すように、複数のソーラーパネル２０及びそのバレルホルダー１０を設置すると、相互に隣り合う各ソーラーパネル２０及びそのバレルホルダー１０は直列接続し、整列したソーラーパネル２０及びそのバレルホルダー１０を形成し、小型の発電場とすることができる。
【００２８】
実際の運用においては、１個のバレルホルダー１０がソーラーパネル２０を搭載しない実施方式とすることもでき、これにより空いたバレルホルダー１０の内部には、水を入れ、ソーラーパネル２０洗浄用に用いることができる。
【００２９】
さらに、相互に隣り合うソーラーパネル２０及びそのバレルホルダー１０の直列接続は、複数のネジにより、相互に隣り合う２個のバレルホルダー１０を、相対する２個の斜辺１４の間に相互に固定する。
【００３０】
或いは相互に隣り合う２個の斜辺１４の内、バレルホルダー１０の斜辺１４には、スライド槽を設置し、もう一つのバレルホルダー１０の斜辺１４には、スライドレールを対応して設置し、相互に結合する。
【００３１】
或いは相互に隣り合う２個の斜辺１４の内、一つのバレルホルダー１０の斜辺１４に、複数の係合フックを設置し、もう一つのバレルホルダー１０の斜辺１４には、複数の係合槽を設置し、相互に係合する。
【００３２】
図６に示すように、図５に示す一列のソーラーパネル２０及びそのバレルホルダー１０を複数配列し、行列式のソーラーパネル２０及びそのバレルホルダー１０を形成すれば、比較的大きいソーラーエネルギー発電場を形成でき、一般平面、地面、屋根或いは郊外に設置でき、或いは移動可能な物体上に設置できる。
【００３３】
上記したように、本考案は以下の効果を備える。
１．バレルホルダー１０は、プラスチック、ポリエステル樹脂、  ポリエチレン、ポリプロピレン、各種樹脂材質或いは金属材料等を採用できるため、成型が容易で価格が安く、しかもホルダーのコストを大幅に引き下げられる。
２．工場で生産できるため、生産速度が速い。
３．バレルホルダーは軽く、体積が小さいため、運輸コストを大幅に引き下げられる。
４．ソーラーパネル２０及びそのバレルホルダー１０は、全体の取り付けがスピーディーで、施工コストを大幅に引き下げられる。
５．バレルホルダー１０内に水を入れられるため、ソーラーパネル２０の温度を大幅に引き下げられ、発電効率を高めることができる。
６．雨水をバレルホルダー内に貯められるため、さらに節水が可能である。
７．ソーラーパネル２０の洗浄時には、使用者はバレルホルダー１０内からダイレクトに水を取ることができるため、洗浄効率を高められる。
８．発電場所を変更する必要があり、ソーラーパネル２０を移動させなければならない時には、本考案は分解が便利で、他の場所へと簡単に運べ、継続使用でき、しかも一切の産業廃棄物を慰留することがない。
【００３４】
上記を総合すると、本考案によるソーラーパネル２０及びそのバレルホルダー１０は、樹脂材料或いは金属材質により構成されるバレルホルダー１０を設置することで、安価で、成型に容易な材料を製造に用いることができ、ホルダーのコストを大幅に引き下げられる。しかも、取り付けがスピーディーで、施工コストを大幅に引き下げられる。
【産業上の利用可能性】
【００３５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３６】
１０  バレルホルダー
１１  前側面
１１ａ  凹部
１２  後側面
１３  両側側面
１４  斜辺
１５  棒状構造
２０  ソーラーパネル
２２  太陽光発電パーツ
２４  外枠
３０  水コレクター
３２  集水孔
３４  ガイド部材
【図１】
0003213358.tif 000003
【図２】
0003213358.tif 000004
【図３】
0003213358.tif 000005
【図４】
0003213358.tif 000006
【図５】
0003213358.tif 000007
【図６】
0003213358.tif 000008